(57)【要約】  眼鏡フレームと、フレームに取り付けられる一組の眼用レンズと、を含む眼鏡が開示される。レンズは各レンズに分布されるドットパターンを含み、ドットパターンは１ｍｍ以下の距離で間隔を空けられるドットの配列を含み、各ドットは０．３ｍｍ以下の最大寸法を有し、ドットパターンは、１ｍｍより大きい最大寸法を有する、ドットのない透明間隙を含み、透明間隙は眼鏡の着用者の視覚軸と一直線にある。【選択図】図１１
2019529968.tif 000002
【特許請求の範囲】
【請求項１】
眼鏡フレームと、該フレームに取り付けられる一組の眼用レンズとを含む眼鏡であって、
前記レンズは各レンズに分布されるドットパターンを含み、該ドットパターンは１ｍｍ以下の距離で間隔を空けられるドットの配列を含み、各ドットは０．３ｍｍ以下の最大寸法を有する、眼鏡。
【請求項２】
前記ドットパターンは、１ｍｍより大きい最大寸法を有する、ドットのない透明間隙を含み、該透明間隙は前記眼鏡の着用者の視覚軸と一直線に並ぶ、請求項１に記載の眼鏡。
【請求項３】
前記各ドットは０．２ｍｍ以下の最大寸法を有する、請求項１又は２に記載の眼鏡。
【請求項４】
前記各ドットは０．１ｍｍ以下の最大寸法を有する、請求項１又は２に記載の眼鏡。
【請求項５】
前記各ドットは０．０５ｍｍ以下の最大寸法を有する、請求項１又は２に記載の眼鏡。
【請求項６】
前記各ドットは０．０２ｍｍ以下の最大寸法を有する、請求項１又は２に記載の眼鏡。
【請求項７】
前記各ドットは０．０１ｍｍ以下の最大寸法を有する、請求項１又は２に記載の眼鏡。
【請求項８】
前記各ドットはほぼ同じ大きさである、請求項１又は２に記載の眼鏡。
【請求項９】
前記ドットは０．８ｍｍ以下の間隔を空けられる、請求項１又は２に記載の眼鏡。
【請求項１０】
前記ドットは０．６ｍｍ以下の間隔を空けられる、請求項１又は２に記載の眼鏡。
【請求項１１】
前記ドットは０．５ｍｍ以下の間隔を空けられる、請求項１又は２に記載の眼鏡。
【請求項１２】
前記ドットは０．４ｍｍ以下の間隔を空けられる、請求項１又は２に記載の眼鏡。
【請求項１３】
前記ドットは０．３５ｍｍ以下の間隔を空けられる、請求項１又は２に記載の眼鏡。
【請求項１４】
前記ドットは正方形グリッド上に配置される、請求項１又は２に記載の眼鏡。
【請求項１５】
前記透明間隙は２ｍｍ以上の最大寸法を有する、請求項２に記載の眼鏡。
【請求項１６】
前記透明間隙は３ｍｍ以上の最大寸法を有する、請求項２に記載の眼鏡。
【請求項１７】
前記透明間隙は４ｍｍ以上の最大寸法を有する、請求項２に記載の眼鏡。
【請求項１８】
前記透明間隙は５ｍｍ以上の最大寸法を有する、請求項２に記載の眼鏡。
【請求項１９】
前記透明間隙は６ｍｍ以上の最大寸法を有する、請求項２に記載の眼鏡。
【請求項２０】
前記透明間隙は７ｍｍ以上の最大寸法を有する、請求項２に記載の眼鏡。
【請求項２１】
前記透明間隙は８ｍｍ以上の最大寸法を有する、請求項２に記載の眼鏡。
【請求項２２】
前記透明間隙はほぼ円形である、請求項２に記載の眼鏡。
【請求項２３】
前記ドットは対応するレンズの表面にある隆起物である、請求項１又は２に記載の眼鏡。
【請求項２４】
前記隆起物は透過性材料で形成される、請求項２３に記載の眼鏡。
【請求項２５】
前記透過性材料は透明である、請求項２４に記載の眼鏡。
【請求項２６】
前記透過性材料は色付きである、請求項２４に記載の眼鏡。
【請求項２７】
前記透過性材料はレンズ材料とほぼ同じ屈折率を有する、請求項２４に記載の眼鏡。
【請求項２８】
前記隆起物はほぼ球体である、請求項２３に記載の眼鏡。
【請求項２９】
前記ドットは、前記対応するレンズの表面にある凹部である、請求項１又は２に記載の眼鏡。
【請求項３０】
前記ドットは、各レンズの対面する表面の間の含有物である、請求項１又は２に記載の眼鏡。
【請求項３１】
前記レンズは透明レンズである、請求項１又は２に記載の眼鏡。
【請求項３２】
前記眼鏡は色付き眼鏡である、請求項１又は２に記載の眼鏡。
【請求項３３】
前記ドットパターンは、該ドットパターンを通して見られる物体の像コントラストを、前記透明間隙を通して見られる物体の像コントラストと比較して、少なくとも３０％低減させる、請求項１又は２に記載の眼鏡。
【請求項３４】
前記ドットパターンは、ドットパターンを通して見られる物体の像コントラストを、前記透明間隙を通して見られる物体の像コントラストと比較して、少なくとも３５％低減させる、請求項１又は２に記載の眼鏡。
【請求項３５】
前記ドットパターンは、ドットパターンを通して見られる物体の像コントラストを、前記透明間隙を通して見られる物体の像コントラストと比較して、少なくとも４０％低減させる、請求項１又は２に記載の眼鏡。
【請求項３６】
前記ドットパターンは、ドットパターンを通して見られる物体の像コントラストを、前記透明間隙を通して見られる物体の像コントラストと比較して、少なくとも４５％低減させる、請求項１又は２に記載の眼鏡。
【請求項３７】
前記ドットパターンは、ドットパターンを通して見られる物体の像コントラストを、前記透明間隙を通して見られる物体の像コントラストと比較して、少なくとも５０％低減させる、請求項１又は２に記載の眼鏡。
【請求項３８】
前記ドットパターンは、ドットパターンを通して見られる物体の像コントラストを、前記透明間隙を通して見られる物体の像コントラストと比較して、少なくとも５５％低減させる、請求項１又は２に記載の眼鏡。
【請求項３９】
前記ドットパターンは、ドットパターンを通して見られる物体の像コントラストを、前記透明間隙を通して見られる物体の像コントラストと比較して、少なくとも６０％低減させる、請求項１又は２に記載の眼鏡。
【請求項４０】
前記レンズは、前記透明間隙を通る着用者の軸上の視力を２０／２０以上に矯正する屈折力を有し、前記ドットパターンを通る前記着用者の周辺視野の少なくとも一部に関しては、前記レンズは前記着用者の視力を２０／２５以上に矯正する、請求項１又は２に記載の眼鏡。
【請求項４１】
前記ドットパターンに対応する前記レンズの表面に個々の量の材料を堆積すること、及び、
前記ドットパターンを形成する前記レンズ表面に隆起物を設けるように、前記堆積材料を硬化することを含む、請求項１又は２に記載の眼鏡を製作する方法。
【請求項４２】
前記材料は、インクジェットプリンタを使用して堆積される、請求項４１に記載の方法。
【請求項４３】
前記堆積材料は、放射を使用して硬化される、請求項４１に記載の方法。
【請求項４４】
前記放射は紫外線放射を含む、請求項４３に記載の方法。
【請求項４５】
眼鏡フレームと、該フレームに取り付けられる一組の眼用レンズとを含む、着用者のためにカスタマイズされる眼鏡であって、
前記レンズは前記着用者の軸上の視力を２０／２０以上に矯正する屈折力を有し、前記レンズは各レンズにわたって分布されるドットパターンを含み、該ドットパターンはドットの配列を含み、該ドットの配列は、前記着用者の周辺視野の少なくとも一部に関して、前記レンズが前記着用者の視力を２０／２５以上に矯正し、軸上の像コントラストと比較して像コントラストを少なくとも３０％低減させるように配置される、眼鏡。
【請求項４６】
眼鏡フレームと、該フレームに取り付けられる一組の眼用レンズとを含む、着用者のためにカスタマイズされる眼鏡であって、
前記レンズは前記着用者の軸上の視力を２０／２０以上に矯正する屈折力を有し、前記眼鏡は各レンズにわたって分布される光学的拡散体を含み、該光学的拡散体は、前記着用者の周辺視野の少なくとも一部に関して、前記レンズが前記着用者の視力を２０／２５以上に矯正し、軸上の像コントラストと比較して像コントラストを少なくとも３０％低減させるように構成される、眼鏡。
【請求項４７】
前記光学的拡散体は、各レンズの表面に積層されるフィルムを含む、請求項４６に記載の眼鏡。
【請求項４８】
前記レンズは各々、１ｍｍより大きい最大寸法を有する、光学的拡散体のない透明間隙を含み、該透明間隙は前記眼鏡の着用者の視覚軸と一直線に並ぶ、請求項４６に記載の眼鏡。
【請求項４９】
２つの対面する湾曲面と、各レンズにわたって分布されるドットパターンとを含む眼用レンズであって、
前記２つの対面する湾曲面は、着用者の軸上の視力を２０／２０以上に矯正する屈折力を共同して有し、
前記ドットパターンは間隔の空けられたドットの配列を含み、該ドットの配列は、前記着用者の周辺視野の少なくとも一部に関して、前記レンズが前記着用者の視力を２０／２５以上に矯正し、軸上の像コントラストと比較して像コントラストを少なくとも３０％低減させるように配置され、前記ドットパターンは、前記着用者の視覚軸と一直線上に並べられる、ドットがない透明間隙を含む、眼用レンズ。
【請求項５０】
前記眼用レンズは眼鏡レンズである、請求項４９に記載の眼用レンズ。
【請求項５１】
前記眼用レンズはコンタクトレンズである、請求項４９に記載の眼用レンズ。
【請求項５２】
人の近視の進行を観察し阻止する方法であって、
前記人の脈絡膜の厚さの変化を一定期間にわたって測定することと、
軸上の像コントラストと比較して、前記人の周辺視野の像コントラストを低減させる眼用レンズを前記人に供給することと、を含む方法。
【請求項５３】
前記変化の測定は、光コヒーレンストモグラフィ（ＯＣＴ）を使用して、前記人の脈絡膜の厚さを測定することを含む、請求項５２に記載の方法。
【請求項５４】
着用者の軸上の視野を改善する屈折力を共同して有する、２つの対面する湾曲面を含むコンタクトレンズであって、
前記湾曲面はレンズ軸を規定し、
前記湾曲面の少なくとも１つは、透明間隙を取り囲む第一環状領域を含み、第二環状領域は、前記第一環状領域から前記コンタクトレンズの縁まで広がっており、
前記透明間隙と、第一及び第二環状領域とは、前記レンズ軸を中心として位置し、
前記第一環状領域は、前記着用者の軸上の像コントラストと比較して、前記着用者における像コントラストを低減するように大きさと形状を決められる、間隔の空いた複数のくぼみを有する、コンタクトレンズ。
【請求項５５】
前記透明間隙は約０．５ｍｍから約２ｍｍの範囲の直径を有する、請求項５４に記載のコンタクトレンズ。
【請求項５６】
前記透明間隙は約０．５ｍｍから約１．５ｍｍの範囲の直径を有する、請求項５５に記載のコンタクトレンズ。
【請求項５７】
前記透明間隙は約０．５ｍｍから約１．２ｍｍの範囲の直径を有する、請求項５６に記載のコンタクトレンズ。
【請求項５８】
前記第一環状領域は、約２．５ｍｍから約１０ｍｍの範囲の外径を有する、請求項５４に記載のコンタクトレンズ。
【請求項５９】
第一環状領域の前記外径は、約２．５ｍｍから約８ｍｍの範囲である、請求項５８に記載のコンタクトレンズ。
【請求項６０】
第一環状領域の前記外径は、約２．５ｍｍから約６ｍｍの範囲である、請求項５９に記載のコンタクトレンズ。
【請求項６１】
第一環状領域の前記外径は、約２．５ｍｍから約５ｍｍの範囲である、請求項６０に記載のコンタクトレンズ。
【請求項６２】
第一環状領域の前記外径は、約２．５ｍｍから約４ｍｍの範囲である、請求項６１に記載のコンタクトレンズ。
【請求項６３】
第一環状領域の前記外径は約３ｍｍである、請求項６２に記載のコンタクトレンズ。
【請求項６４】
前記第二環状領域は少なくとも１ｍｍの半径方向寸法を有する、請求項５４に記載のコンタクトレンズ。
【請求項６５】
前記第二環状領域の前記半径方向寸法は、約２ｍｍ以上である、請求項６４に記載のコンタクトレンズ。
【請求項６６】
前記第二環状領域の前記半径方向寸法は、約３ｍｍ以上である、請求項６５に記載のコンタクトレンズ。
【請求項６７】
前記第二環状領域の前記半径方向寸法は、約５ｍｍ以下である、請求項６４に記載のコンタクトレンズ。
【請求項６８】
前記第二環状領域の前記半径方向寸法は、約４ｍｍ以下である、請求項６７に記載のコンタクトレンズ。
【請求項６９】
前記くぼみが、０．００１ｍｍから約１ｍｍの範囲の最大横方向寸法を有する、請求項５４に記載のコンタクトレンズ。
【請求項７０】
前記くぼみが、０．００１ｍｍから約０．１ｍｍの範囲の最大横方向寸法を有する、請求項６９に記載のコンタクトレンズ。
【請求項７１】
前記くぼみが、０．００５ｍｍから約０．１ｍｍの範囲の最大横方向寸法を有する、請求項７０に記載のコンタクトレンズ。
【請求項７２】
前記くぼみが、０．０１ｍｍから約０．１ｍｍの範囲の最大横方向寸法を有する、請求項７１に記載のコンタクトレンズ。
【請求項７３】
隣り合うくぼみは、０．０１ｍｍから約１ｍｍの範囲の横方向距離で間隔を空けられている、請求項５４に記載のコンタクトレンズ。
【請求項７４】
隣り合うくぼみは、０．０１ｍｍから約０．５ｍｍの範囲の横方向距離で間隔を空けられている、請求項７３に記載のコンタクトレンズ。
【請求項７５】
隣り合うくぼみは、０．０５ｍｍから約０．５ｍｍの範囲の横方向距離で間隔を空けられている、請求項７４に記載のコンタクトレンズ。
【請求項７６】
前記くぼみは、第一環状領域の面積の少なくとも１０％を占める、請求項５４に記載のコンタクトレンズ。
【請求項７７】
前記くぼみは、第一環状領域の面積の少なくとも２０％を占める、請求項７６に記載のコンタクトレンズ。
【請求項７８】
前記くぼみは、第一環状領域の面積の少なくとも３０％を占める、請求項７７に記載のコンタクトレンズ。
【請求項７９】
前記くぼみは、第一環状領域の面積の少なくとも４０％を占める、請求項７８に記載のコンタクトレンズ。
【請求項８０】
前記くぼみは、第一環状領域の面積の７０％以下を占める、請求項７６に記載のコンタクトレンズ。
【請求項８１】
前記くぼみは、第一環状領域の面積の６０％以下を占める、請求項８０に記載のコンタクトレンズ。
【請求項８２】
前記くぼみは、第一環状領域の面積の５０％以下を占める、請求項８１に記載のコンタクトレンズ。
【請求項８３】
前記くぼみの各々はほぼ同じ大きさである、請求項５４に記載のコンタクトレンズ。
【請求項８４】
前記くぼみの少なくともいくつかが異なる大きさを有する、請求項５４に記載のコンタクトレンズ。
【請求項８５】
各くぼみは、その隣り合うくぼみから、ほぼ同じ距離で離されている、請求項５４に記載のコンタクトレンズ。
【請求項８６】
隣り合うくぼみの間の距離が変化する、請求項５４に記載のコンタクトレンズ。
【請求項８７】
コンタクトレンズの表面に複数のくぼみを形成するために、前記コンタクトレンズをレーザ放射に露光することを含む、方法。
【請求項８８】
前記レーザは赤外レーザである、請求項８７に記載の方法。
【請求項８９】
前記レーザはＣＯ２レーザである、請求項８７に記載の方法。
【請求項９０】
前記コンタクトレンズが、前記くぼみを形成するようにパルス状のレーザ放射に露光される、請求項８７に記載の方法。
【請求項９１】
前記レーザは０．５Ｗから６０Ｗの範囲の出力を有する、請求項８７に記載の方法。
【請求項９２】
前記コンタクトレンズと前記レーザ放射の光線とが、前記コンタクトレンズ表面の異なる部分を前記レーザ放射に露光するように、互いに対して動く、請求項８７に記載の方法。
【請求項９３】
前記レーザ放射は、露光の間に、約０．１ｍｍ以下のスポットサイズに焦点を合わせる、請求項８７に記載の方法。
【請求項９４】
前記レーザ放射は、露光の間に、約０．０５ｍｍ以下のスポットサイズに焦点を合わせる、請求項９３に記載の方法。
【請求項９５】
前記レーザ放射は、露光の間に、約０．０２５ｍｍのスポットサイズに焦点を合わせる、請求項９４に記載の方法。
【請求項９６】
前記複数のくぼみの各々が、同じ継続時間、同じエネルギ、及び同じスポットサイズの、対応する個々の露光から形成されるように、前記コンタクトレンズが露光される、請求項８７に記載の方法。
【請求項９７】
個々の露出に対応することから前記複数のくぼみの各々が形成されるように、前記コンタクトレンズが露光され、前記個々の露光のそれぞれに関して、少なくとも継続時間、エネルギ、又はスポットサイズが異なる、請求項８７に記載の方法。
【請求項９８】
前記露光される表面は凸面である、請求項８７に記載の方法。
【発明の詳細な説明】
【技術分野】
【０００１】
本発明は、近視治療のための眼用レンズ、このようなレンズの形成方法、このようなレンズの使用方法、及びこのようなレンズの有効性を監視するための方法を特徴とする。
【背景技術】
【０００２】
眼は、外部源からの光が、レンズによって、波長依存フォトセンサの配列である網膜の表面で焦点を結ばれる、光学センサである。眼の水晶体が受け入れられる様々な形態の各々は、眼によって観察される外部の像に一致する倒立像を網膜の表面上に生成するように、外部光線が最適に若しくはほぼ最適に焦点を結ばれる焦点距離に関連する。眼の水晶体が受け入れられる様々な形態の各々において、眼の水晶体は、眼から一定の距離の範囲内にある外部物体から放射又は反射される光の焦点を最適に若しくはほぼ最適に結び、その距離の範囲外にある物体に焦点を合わせるのはあまり最適ではなく、若しくは焦点を合わせられない。
【０００３】
通常の視力を有する者においては、眼軸長又は水晶体から網膜表面までの距離が、遠くの物体にほぼ最適に焦点を合わせるための焦点距離に一致する。通常の視力を有する者の眼は、“遠近調節”と呼ばれる、眼の水晶体の形状を変えるための力を加える、筋肉への神経性入力をしないで、遠くの物体に焦点を合わせる。より近くにある近傍物体は、遠近調節の結果として通常の者によって焦点を合わせられる。
【０００４】
しかしながら、多くの人は、近視（“近眼”）などの眼軸長に関連する疾患に苦しんでいる。近視の者は、眼の軸長が、遠近調節なしで遠くの物体に焦点を合わせるのに必要とされる軸長よりも長い。その結果、近視の者は近くにある物体は明瞭に見えるが、より離れたところにある物体はぼやけて見える。近視の者は一般的に遠近調節を行うことが可能であるが、焦点を合わせられる物体の平均距離は通常の視力を有する者より短い。
【０００５】
通常、幼児は生まれながら遠視で、眼軸長は、遠近調節なしで遠くの物体に最適に若しくはほぼ最適に焦点を合わせるのに必要とされるよりも短い。“正視化現象”と呼ばれる眼の正常な発達の間に、眼軸長は、眼の他の寸法に相対的に、遠近調節なしで遠くの物体にほぼ最適に焦点を合わせる長さまで増加する。眼が最終的な大人の大きさまで成長するにつれて、生物学的過程が、眼の大きさに対してほぼ最適な相対的な眼軸長を維持するのが理想である。しかしながら、近視の者においては、全体的な眼の大きさに対する相対的な眼軸長は、発達の間に増加し続け、遠くの物体にほぼ最適に焦点を合わせる長さを超えて、次第に顕著な近視へと導く。
【０００６】
近視は遺伝的要因と同様に、行動要因による影響を受けると考えられている。従って、近視は行動要因に対処する治療装置によって軽減され得る。例えば、近視を含む眼軸長に関連する疾患を治療するための治療装置は、米国特許出願公開第２０１１／０３１３０５８（Ａ１）号明細書に記載されている。
【発明の概要】
【０００７】
眼軸長の延長の原因となる、網膜の信号を低減する眼鏡及びコンタクトレンズが開示される。例示の実施形態は、紫外線によってレンズに硬化され結合される、透明な液体プラスチックの隆起物のパターンを適用することで処理された、ポリカーボネート又はトライベックスのレンズブランクを使用して製作される。各透明プラスチックの隆起物は、それが結合する下層のポリカーボネートと同様の屈折率を有するので、隆起物の位置では、隆起物と下層のレンズは単一の光学部品として機能する。このような光学部品の配列は、配列によって伝達される光を全方向にかなり均一に分散する、収差が大きいレンズ配列として働く。その結果、網膜像におけるコントラストが低減する。眼鏡レンズは、使用者の視野の周辺にある物体は、コントラストと明瞭度とが低減して見えるが、使用者が軸上の物体を見るときに最大の視力を経験できるようにする、レンズ軸に位置する隆起物のない間隙を有する。
【０００８】
一例では、網膜上の像は、隆起物配列なしでレンズによって生成され得る物の７４％の平均光度を有する、正常に焦点が合った像からなる。焦点が合った像に重ね合わせられるのは、正常に焦点が合った像の平均輝度の２５％に等しい、均一な網膜照度の背景である。
【０００９】
これらの眼鏡に関して、屈折異常を矯正する（しかし治療しない）のに通常使用される物に比べて、焦点の合った像のコントラストが低減される。コントラスト低減の正確な量は、伝達される像における暗い及び明るい面積の相対量による。上記の例に関して、光の２４％が均一に分散されるとき、最大コントラスト低減は、コントラストが輝度差／平均輝度として定義されるところで、４８％となり得る。実験によって、このコントラスト低減量が、眼軸長の延長の制御を担うメカニズムに関連する眼の生理機能に対して大幅な影響を有することが実証された。
【００１０】
本発明の様々な態様が以下に要約される。
【００１１】
一般的に、第一態様では、本発明は、眼鏡フレームと、フレームに取り付けられる一組の眼用レンズとを含む眼鏡を特徴とする。レンズは各レンズに分布されるドットパターンを含み、ドットパターンは１ｍｍ以下の距離で間隔を空けられるドットの配列を含み、各ドットは０．３ｍｍ以下の最大寸法を有する。
【００１２】
眼鏡の実装は、後続の特徴及び／又は他の態様の特徴のうちの１つ以上を含み得る。例えば、各ドットは０．２ｍｍ以下（例えば、０．１ｍｍ以下、０．０５ｍｍ以下、０．０２ｍｍ以下、０．０１ｍｍ以下）の最大寸法を有し得る。いくつかの実施形態では、各ドットはほぼ同じ大きさである。ドットは０．８ｍｍ以下（例えば、０．６ｍｍ以下、０．５ｍｍ以下、０．４ｍｍ以下、０．３５ｍｍ以下）の間隔を空けられることがある。ドットは、正方形グリッド、六角形グリッド、他のグリッド上に、又はセミランダム若しくはランダムなパターンで配置され得る。ドットは、例えば０．５５ｍｍ、０．３６５ｍｍ、又は０．２４ｍｍなどの、一定の間隔で離され得る。あるいは、ドット間隔はレンズの中心からのドットの距離によって変化し得る。例えば、ドット間隔は、レンズの中心からの距離が増加するにつれて、単調に増加又は単調に減少することがある。
【００１３】
ドットパターンは、１ｍｍより大きい最大寸法を有する、ドットのない透明間隙を含み、透明間隙は眼鏡の着用者の視覚軸と一直線に配置される。透明間隙は、２ｍｍ以上（例えば、３ｍｍ以上、４ｍｍ以上、５ｍｍ以上、６ｍｍ以上、７ｍｍ以上、８ｍｍ以上）かつ１．５ｃｍまで（例えば、１．５ｃｍ以下、１．４ｃｍ以下、１．３ｃｍ以下、１．２ｃｍ以下、１．１ｃｍ以下、１．０ｃｍ以下）の最大寸法（例えば直径）を有することができる。透明間隙は、八角形、正方形、又は他の多角形形状などの、ほぼ円形又は同様の形状の場合がある。
【００１４】
いくつかの実施形態では、ドットは、対応するレンズの表面にある隆起物である。隆起物は透過性材料で形成され得る。いくつかの場合においては、透過性材料は透明及び／又は無色である。代替的に若しくは付加的に、透過性材料の少なくともいくつかは、色付けされ得る（例えば、赤色の波長を吸収する色素で）。透過性材料は、レンズ材料と実質的に同じ屈折率を有し得る。隆起物は実質的に球形又は半球形の場合がある。
【００１５】
ある実施形態では、ドットは対応するレンズの表面にある凹部である。
【００１６】
ドットは各レンズの対面する表面の間の含有物の場合がある。
【００１７】
レンズは透明レンズの場合がある。いくつかの実施形態では、レンズは色付きレンズである。
【００１８】
ドットパターンは、ドットパターンを通して見られる物体の像コントラストを、透明間隙を通して見られる物体の像コントラストと比較して、少なくとも３０％（例えば、少なくとも３５％、少なくとも４０％、少なくとも４５％、少なくとも５０％、少なくとも５５％、少なくとも６０％）低減させる。いくつかの実施形態では、レンズは、透明間隙を通る着用者の軸上の視力を２０／２０以上（例えば２０／１５）に矯正する屈折力を有し、ドットパターンを通る着用者の周辺視野の少なくとも一部に関しては、レンズは着用者の視力を２０／２５以上、２０／３０以上、２０／４０以上、若しくは同様に矯正する。
【００１９】
他の態様では、本発明は、ドットパターンに対応するレンズの表面に材料の個々の分量を堆積することと、ドットパターンを形成するレンズ表面の隆起物をもたらすように、堆積された材料を硬化することとを含む、眼鏡を製作する方法を特徴とする。材料はインクジェットプリンタを使用して堆積され得る。堆積される材料は放射（例えば紫外線放射）を使用して硬化され得る。
【００２０】
一般的に、他の態様では、本発明は、眼鏡フレームと、フレームに取り付けられる一組の眼用レンズと、を含む、着用者のためにカスタマイズされる眼鏡を特徴としており、レンズは着用者の軸上の視力を２０／２０以上に矯正する屈折力を有し、レンズは各レンズにわたって分布されるドットパターンを含み、ドットパターンはドットの配列を含み、ドットの配列は、着用者の周辺視野の少なくとも一部に関して、レンズが着用者の視力を２０／２５以上に矯正し、軸上の像コントラストと比較して像コントラストを少なくとも３０％低減させるように配置される。眼用レンズの実施形態は、他の態様の特徴のうちの１つ以上を含み得る。
【００２１】
一般的に、さらなる態様では、本発明は、眼鏡フレームと、フレームに取り付けられる一組の眼用レンズと、を含む、着用者のためにカスタマイズされる眼鏡を特徴としており、レンズは着用者の軸上の視力を２０／２０以上に矯正する屈折力を有する。眼鏡は各レンズにわたって分布される光学的拡散体を含み、光学的拡散体は、着用者の周辺視野の少なくとも一部に関して、レンズが着用者の視力を２０／４０以上、２０／３０以上、若しくは２０／２５以上に矯正し、軸上の像コントラストと比較して像コントラストを少なくとも３０％低減させるように構成される。
【００２２】
眼用レンズの実施形態は、後続の特徴及び／又は他の態様の特徴のうちの１つ以上を含み得る。例えば、光学的拡散体は、各レンズの表面に積層されるフィルムを含み得る。レンズは各々、１ｍｍより大きい最大寸法を有する、光学的拡散体のない透明間隙を含む場合があり、透明間隙は眼鏡の着用者の視覚軸と一直線に配置される。
【００２３】
一般的に、さらなる態様では、本発明は、２つの対面する湾曲面と、各レンズにわたって分布されるドットパターンとを含む眼用レンズであって、２つの対面する湾曲面は、着用者の軸上の視力を２０／２０以上に矯正する屈折力を共同して有し、ドットパターンは間隔の空けられたドットの配列を含み、ドットは、着用者の周辺視野の少なくとも一部に関して、レンズが着用者の視力を２０／２５以上に矯正し、軸上の像コントラストと比較して像コントラストを少なくとも３０％低減させるように配置され、ドットパターンは、着用者の視覚軸と一直線上に並べられる、ドットがない透明間隙を含む、眼用レンズを特徴とする。
【００２４】
眼用レンズの実施形態は、後続の特徴及び／又は他の態様の特徴のうちの１つ以上を含み得る。例えば、眼用レンズは眼鏡レンズの場合がある。あるいはいくつかの実施形態では、眼用レンズはコンタクトレンズである。
【００２５】
一般的に、他の態様では、本発明は、人の近視の進行を観察し阻止する方法であって、人の脈絡膜の厚さの変化を一定期間にわたって測定すること、及び、軸上の像コントラストと比較して、人の周辺視野の像コントラストを低減させる眼用レンズを人に供給することを含む方法を特徴とする。
【００２６】
本方法の実装は、後続の特徴及び／又は他の態様の特徴のうちの１つ以上を有し得る。例えば、眼用レンズは前述の態様の眼鏡に提供され得る。あるいは、眼用レンズはコンタクトレンズとして提供される。いくつかの実装では、変化の測定は、光コヒーレンストモグラフィ（ＯＣＴ）を使用して人の脈絡膜の厚さを測定することを含む。
【００２７】
他の利点において、開示される実施形態は、使用者の軸上の視力を、使用者に混乱を生じさせる範囲まで低下させることなく、両眼の水晶体における眼軸長の延長の原因となる、網膜の信号を低減する特徴を有する、眼鏡を特徴とする。例えば、透明間隙を通して通常の軸上で見えるようにしながら、着用者の周辺視野を適度に不鮮明にするドットパターンを形成することで、着用者が一日中、毎日使用できるようになる。開示される実施形態はまた、異なる組の眼鏡の使用を替えることを含むアプローチとは対照的に、一組だけの眼鏡のみを使用することで使用者の両眼に治療効果をもたらすことができる。
【００２８】
さらに、ドットパターンは、特にドットパターンが透明及び無色のとき、及び／又はコンタクトレンズが使用されるとき、他者にほとんど気づかれないことが可能である。ドットパターンの目立たなさは、ある着用者、特に、より目立つ装置を（例えば、学校又は仲間内で）毎日使用すると人目を気にすることがある子供たちが、より一貫して使用する結果になり得る。
【図面の簡単な説明】
【００２９】
【図１Ａ】近視を治療するための眼用レンズを有する眼鏡を示す図である。
【図１Ｂ】図１Ａで示される眼用レンズにあるドットパターンを示す図である。
【図２】近視を治療するための例示の眼用レンズを使用して経験される、コントラスト減少を示す図である。
【図３Ａ】眼用レンズにあるドットパターンを形成するためのインクジェットプリントシステムを示す図である。
【図３Ｂ】図３Ａに示されるシステムを使用してドットパターンを作成するための方法における段階を示すフロー図である。
【図３Ｃ】図３Ｂのインクジェットプリント方法を使用してドットパターンを形成するためのプリントテンプレートを示す図である。
【図３Ｄ】インクジェットプリントシステムにおける複数のレンズの位置決めをするために使用される冶具の上面図である。
【図４Ａ】例示の眼用レンズにあるドットパターンを示す写真である。
【図４Ｂ】例示の眼用レンズにあるドットパターンを示す写真である。
【図４Ｃ】例示の眼用レンズにあるドットパターンを示す写真である。
【図５Ａ】脈絡膜の厚さを示す、眼の光コヒーレンストモグラフィ（ＯＣＴ）画像である。
【図５Ｂ】脈絡膜の厚さを示す、眼の光コヒーレンストモグラフィ（ＯＣＴ）画像である。
【図６Ａ】脈絡膜の厚さを示すＯＣＴ画像である。
【図６Ｂ】脈絡膜の厚さを示すＯＣＴ画像である。
【図６Ｃ】脈絡膜の厚さを示すＯＣＴ画像である。
【図６Ｄ】脈絡膜の厚さを示すＯＣＴ画像である。
【図７】被験者の治療前及び治療後の網膜位置の関数として、相対的な脈絡膜の厚さを示す図である。
【図８】試作品Ｉレンズに使用されるドットパターンを示す写真である。
【図９】試作品Ｉレンズと初期研究とを使用して行われる研究結果を比較する図である。軸長差異測定の時間経過を示す。
【図１０】試作品ＩＩレンズで使用されるドットパターンを示す写真である。
【図１１】試作品ＩＩＩレンズで使用されるドットパターンを示す写真である。
【図１２】初期研究（“第一拡散体”）、試作ＩＩＩレンズ（“新拡散体”）及び制御グループ（“拡散体なし”）からの被験者に関する、１８０日後のジオプトリにおける変化を比較する棒グラフである。
【図１３】コンタクトレンズにドットパターンを形成するためのレーザシステムの概略図である。
【図１４Ａ】コンタクトレンズのためのドットパターンの例を示す図である。
【図１４Ｂ】コンタクトレンズのためのドットパターンの例を示す図である。
【図１５Ａ】ドットパターンを有するコンタクトレンズの写真である。
【図１５Ｂ】ドットパターンを有する眼鏡レンズの写真である。
【発明を実施するための形態】
【００３０】
図１Ａを参照すると、明瞭な視野を実質的に損なうことなく両眼を同時に治療できる、近視軽減眼鏡が開示される。さらに、眼鏡が故障することなく、着用者が自身の外見を意識することなく、同様の日常活動に従事できるように、眼鏡は十分に頑丈で目立たないものであって、このことは眼鏡が一般的に子供の眼軸長の延長を止めるために使用されるので特に所望される。
【００３１】
近視軽減眼鏡１００は１組のフレーム１０１と、フレームに取り付けられる眼用レンズ１１０ａ及び１１０ｂとで構成される。眼用レンズ１１０ａ及び１１０ｂは、コントラスト低減区域１３０ａ及び１３０ｂにそれぞれ囲まれた、透明間隙１２０ａ及び１２０ｂをそれぞれ有する。透明間隙１２０ａ及び１２０ｂは、着用者の軸上の視点位置と一致するように位置決めされ、一方でコントラスト低減区域１３０ａ及び１３０ｂは着用者の周辺視野に相当する。図１Ｂを参照すると、コントラスト低減区域１３０ａ及び１３０ｂは、ドット１４０の配列で構成され、これらの区域を通して着用者の眼に光を散乱させることによって着用者の周辺視野にある物体のコントラストを低減させる。
【００３２】
透明間隙の大きさ及び形状は変化し得る。一般的に、透明間隙は、着用者の視力が（例えば２０／１５若しくは２０／２０に）最適に矯正され得るように、視円錐を着用者にもたらす。いくつかの実施形態では、間隙は約０．２ｍｍ（例えば約０．３ｍｍ以上、約０．４ｍｍ以上、約０．５ｍｍ以上、約０．６ｍｍ以上、約０．７ｍｍ以上、約０．８ｍｍ以上、約０．９ｍｍ以上）から約１．５ｃｍ（例えば約１．４ｃｍ以下、約１．３ｃｍ以下、約１．２ｃｍ以下、約１．１ｃｍ以下、約１ｃｍ以下）までの範囲の（ｘ−ｙ面における）最大寸法を有する。例えば図１Ａに示されるように間隙が円形の場合、この寸法は円の直径と一致するが（つまり、Ａｘ＝Ａｙ）、円形でない（つまり、楕円形、多角形、Ａｘ≠Ａｙ）間隙もまたあり得る。
【００３３】
透明間隙は、見る者の視野において約３０度以下（例えば、約２５度以下、約２０度以下、約１５度以下、約１２度以下、約１０度以下、約９度以下、約８度以下、約７度以下、約６度以下、約５度以下、約４度以下、約３度以下）の立体角をなすことができる。水平及び垂直な視野平面でなされる立体角は、同じ場合もあり、異なる場合もある。
【００３４】
ドットは、レンズ１１０ａ及び１１０ｂの各々の表面上に隆起物を配列することで形成される。隆起物は、屈折率が下層のレンズと同等な、ポリカーボネートの場合は１．６０である、光学的に透明な材料から形成される。例えば、レンズがポリカーボネートで形成される実施形態では、隆起物は、光活性化したポリウレタン又はエポキシベースのプラスチックなどの、ＰＣと類似した屈折率を有するポリマーで形成され得る。ＰＣに加えて、レンズそのものはまた、アリルジグリコールカーボネートのプラスチック、ウレタンベースのモノマー、又は他の耐衝撃性モノマーから製造され得る。あるいは、レンズは、屈折率が１．６０より大きい、より緻密で屈折率の大きなプラスチックのうちの１つから製作され得る。
【００３５】
いくつかの実施形態では、隆起物材料は、レンズ材料の屈折率（例えば、可視光線域にある１つ以上の波長で測定される）の０．１以内（例えば、０．０９以下、０．０８以下、０．０７以下、０．０６以下、０．０５以下、０．０４以下、０．０３以下、０．０２以下、０．０１以下、０．００５以下、０．００２以下、０．００１以下以内）である屈折率を有するように選定される。
【００３６】
隆起物は、ドットが入射光を散乱させて、コントラスト低減区域で見られる物体のコントラストを低減できるようにする、大きさ及び形状である。隆起物は概ね球体、楕円体、又は不規則な形状の場合がある。一般的に、隆起物の寸法（例えば、図１Ｂに示される直径）は、可視光線を散乱させるのに十分大きいが、通常の使用中に着用者によって解像されないように十分小さくあるべきである。例えば、隆起物は約０．００１ｍｍ以上（例えば約０．００５ｍｍ以上、約０．０１ｍｍ以上、約０．０１５ｍｍ以上、約０．０２ｍｍ以上、約０．０２５ｍｍ以上、約０．０３ｍｍ以上、約０．０３５ｍｍ以上、約０．０４ｍｍ以上、約０．０４５ｍｍ以上、約０．０５ｍｍ以上、約０．０５５ｍｍ以上、約０．０６ｍｍ以上、約０．０７ｍｍ以上、約０．０８ｍｍ以上、約０．０９ｍｍ以上、約０．１ｍｍ以上）から約１ｍｍ以下（例えば、約０．９ｍｍ以下、約０．８ｍｍ以下、約０．７ｍｍ以下、約０．６ｍｍ以下、約０．５ｍｍ以下、約０．４ｍｍ以下、約０．３ｍｍ以下、約０．２ｍｍ以下、約０．１ｍｍ以下）の範囲にある寸法（ｘ−ｙ面で測定される）を有することができる。
【００３７】
例えば、光の波長と同等の寸法（例えば、０．００１ｍｍから約０．０５ｍｍ）を有する、より小さな隆起物に関して、光の散乱はレイリー若しくはミー散乱と見なされることがあることに留意されたい。例えば約０．１ｍｍ以上の、より大きな隆起物に関しては、光の散乱は隆起物のレンズ効果に起因する場合があり、例えば、非常に小さな曲率半径を有するレンズによって、使用者の網膜のかなり前方にある点で焦点を結ぶことに起因する。このような場合では、各隆起物からの光は、使用者の網膜に到達するときに、その焦点からかなり離れ、使用者によって像として解像されない。
【００３８】
一般的に、隆起物の寸法は各レンズにわたって同じ場合もあり、異なる場合もある。例えば、寸法は、例えば透明間隙から測定した隆起物の位置の関数として、及び／又はレンズの縁からの距離の関数として、増大若しくは減少する。いくつかの実施形態では、隆起物の寸法はレンズの中心からの距離が増加につれて、単調に変化する（例えば、単調に増大又は単調に減少する）。いくつかの場合では、寸法の単調な増加／減少は、隆起物の直径をレンズの中心からの距離の関数として線形に変化させることを含む。
【００３９】
図１Ｂに図示される隆起物は、正方形グリッド上に配置され、各方向に均一に間隔を空けられている。これは、ｙ方向にＤｙ、ｘ方向にＤｘで示される。一般的にドットは、近視軽減のための見る者の周辺における十分なコントラスト低減を、集合的にもたらすように間隔を空けられている。通常は、ドットの間隔がより小さいと、より大きなコントラスト低減につながる（隣り合うドットが重ならない又は融合しないという条件で）。一般的に、Ｄｘ及びＤｙは、約０．０５ｍｍ（例えば、約０．１ｍｍ以上、約０．１５ｍｍ以上、約０．２ｍｍ以上、約０．２５ｍｍ以上、約０．３ｍｍ以上、約０．３５ｍｍ以上、約０．４ｍｍ以上、約０．４５ｍｍ以上、約０．５ｍｍ以上、約０．５５ｍｍ以上、約０．６ｍｍ以上、約０．６５ｍｍ以上、約０．７ｍｍ以上、約０．７５ｍｍ以上）から約２ｍｍ（例えば、約１．９ｍｍ以下、約１．８ｍｍ以下、約１．７ｍｍ以下、約１．６ｍｍ以下、約１．５ｍｍ以下、約１．４ｍｍ以下、約１．３ｍｍ以下、約１．２ｍｍ以下、約１．１ｍｍ以下、約１ｍｍ以下、約０．９ｍｍ以下、約０．８ｍｍ以下）の範囲である。例として、ドット間隔は、０．５５ｍｍ、０．３６５ｍｍ、又は０．２４０ｍｍの場合がある。
【００４０】
図１Ｂに図示される隆起物は、ｘ及びｙ方向に等間隔で配置されるが、より一般的には各方向における間隔は異なることがある。さらに、隆起物は正方形でないグリッドに配列されることがある。例えば、六角形のグリッドが使用されることがある。規則的でない配列もまた可能で、例えばランダムな又はセミランダムなドット配置が使用されることがある。ランダムなパターンの場合における所定寸法は、Ｘ及びＹ方向におけるドットの平均間隔である。
【００４１】
ドットは図１Ｂに円形の足跡を有するものとして図示されるが、より一般的には、ドットは他の形状を有することができる。例えば、ドットは、楕円形ドットの場合など、一方向に（例えば、ｘ方向又はｙ方向に）引き延ばされる場合がある。いくつかの実施形態では、ドットの形状はランダムである。
【００４２】
コントラスト低減区域１３０ａ及び１３０ｂにおいてドットの間でレンズに入射する光景からの光は、使用者の網膜に光景の像を与えるが、一方でドットに入射する光景からの光は与えないと考えられる。さらに、ドットに入射する光はなおも網膜に伝達されるので、網膜における光度を大幅に低減することなく、像のコントラストを低減させる効果を有する。従って、使用者の周辺視野におけるコントラスト低減は、ドットで覆われたコントラスト低減区域の表面積の割合に関連する（例えば、ほぼ比例する）。一般的に、ドットは、コントラスト低減区域１３０ａ及び１３０ｂの面積（ｘ−ｙ面で測定される）の少なくとも１０％（例えば、２０％以上、３０％以上、４０％以上、５０％以上、例えば９０％以下、８０％以下、７０％以下、６０％以下など）を占める。
【００４３】
一般的にドットパターンは、着用者の周辺視野における物体の像のコントラストを、この領域における見る者の視力を著しく悪化させることなく、低減させる。ここで周辺視野とは、透明間隙の視野の外側にある視野を指す。これらの領域における像コントラストは、測定されるレンズの透明間隙を使用して見られる像のコントラストに対して、４０％以上（例えば、４５％以上、５０％以上、６０％以上、７０％又は、さらに、８０％以上）低減される。コントラスト低減は、個々の場合の需要に従って、設定され得る。通常のコントラスト低減は、約５０％から５５％の範囲内であると考えられる。５０％より低いコントラスト低減は、非常に軽症な場合に使用されることがあり、一方でより素因を持っている対象者は、５５％より大きなコントラスト低減を必要とすることがある。周辺視力は、有意なコントラスト低減を実現しながら、自覚的屈折検査によって決められる２０／３０以上に（例えば、２０／２５以上、２０／２０以上）矯正されることができる。
【００４４】
ここで、コントラストとは、同じ視野にある、２つの物体の間の輝度の差異を指す。従って、コントラスト低減は、この差異の変化を指す。
【００４５】
コントラスト及びコントラスト低減は、様々な方法で測定され得る。いくつかの実施形態では、コントラストは、制御された条件の下でレンズの透明間隙及びドットパターンを通って得られる、白黒の正方形のチェックボードなどの、標準パターンの異なる部分間の明度差に基づいて測定される。
【００４６】
代替的に若しくは付加的に、コントラスト低減はレンズの光学伝達関数（ＯＴＦ）に基づいて決定され得る（例えばhttp://www.montana.edu/jshaw/documents/18%20EELE582_S15_OTFMTF.pdfを参照）。ＯＴＦに関して、コントラストは、明るい及び暗い領域が異なる“空間周波数”で正弦曲線的に変調される、刺激の伝達に関して特定される。これらの刺激は、明るい及び暗いバーが、ある範囲にわたってバーの間の間隔が変化しながら、交互に入れ替わるように見える。全ての光学システムに関して、コントラストの伝達は、最も高い空間周波数を有する、正弦曲線的に変化する刺激に関して最も低い。全ての空間周波数に関するコントラストの伝達を表す関係は、ＯＴＦである。ＯＴＦは点広がり関数のフーリエ変換をすることで得られる。点広がり関数は、レンズを通って検知器配列に点光源を結像することで得られ、点からの光が検知器にどのように分布されるかを決める。
【００４７】
測定の不一致が起きた場合、ＯＴＦ技術は好ましい。
【００４８】
いくつかの実施形態では、コントラストは、透明間隙の面積と比較される、ドットに覆われたレンズの面積の割合に基づいて推定される。この概算では、ドットに当たる全ての光は網膜域全体にわたって均一に分散し、像のより明るい区域で得られる光量を減少させ、より暗い区域に光を加えると仮定される。従って、コントラスト低減は、レンズの透明間隙とドットパターンとを通して測定される光透過率に基づいて計算され得る。
【００４９】
一般的に、眼用レンズ１１０ａ及び１１０ｂは透明若しくは色付きである。つまり、レンズは全ての可視波長に対して光学的透過性を示し、透明及び／又は無色に見え、あるいは分光フィルタを含み、色付きに見える。例えば、眼用レンズは着用者に伝達される赤色の光の量を減少させるフィルタを含む場合がある。人の眼にあるＬ錐体の過度な刺激は（とくに子供においては）、最適でない眼軸長の延長よび近視の結果をもたらすと考えられている。従って、眼用レンズを使用して赤色の光を分光フィルタにかけることは、着用者の近視をさらに軽減させ得る。
【００５０】
分光フィルタリングは、レンズの表面にフィルムを付着させることでもたらされ得る。フィルムは、材料をレンズ表面に物理的に堆積させること、材料の層を表面にコーティングすること、又はあらかじめ形成されたフィルムを表面に積層することによって付着され得る。適切な材料は、吸収性フィルタ材料（例えば染料）、又は多層フィルムを含み、干渉フィルタリングをもたらす。いくつかの実施形態では、分光フィルタリングは、レンズ材料そのものにフィルタリング材料を含むこと及び／又は隆起物を形成するのに使用される材料にフィルタリング材料を含ませることによって実現され得る。
【００５１】
図２を参照すると、分光フィルタリングとドットパターンからのコントラスト低減との効果が、眼鏡２１０を使用して白い背景にある黒い文章を見ることで図示される。文章に対する白い背景は、眼鏡が赤い波長をフィルタリングすることによって、緑色に見えるようになる。像コントラストは透明間隙２２０ａ及び２２０ｂでは影響を受けていないが、見る者の視覚枠内の他の所で低減されている。
【００５２】
一般的に、ドットは、ＵＶ  ＬＥＤ  基板直接印刷、パッド印刷、ホットスタンピング、及びスクリーン印刷技術を含む様々な方法でレンズから形成できる。いくつかの実施形態では、ドットは硬化性材料を無地の眼用レンズの表面にインクジェットして、材料を硬化してドットパターンを固定することによって形成される。図３Ａを参照すると、インクジェット及び硬化システム３００は、インクジェットプリンタ３２０と、プリンタと通信するコンピュータ３１０とを含む。プリンタ３２０は、制御装置３３０、貯蔵器３４０、インクジェットプリントヘッド３５０、及びステージ３６０を含む。ステージ３６０はレンズ３０１を支持し、プリントヘッド３５０に対するレンズの位置を決める。貯蔵器３４０はインクジェットするための硬化されていない材料を貯蔵する。インクジェットに適した硬化性材料の例は、光重合によってともに架橋された、様々な市販の専売モノマー及びオリゴマーを含む。
【００５３】
操作の間、プリントヘッド３５０は貯蔵器３４０から硬化していない材料を受け取る。
【００５４】
ステージ３６０はプリントヘッド３５０に対してレンズ３０１を動かし（矢印３６１で図示されるように）、一方でプリントヘッド３５０はレンズに硬化していない材料３０２の滴を噴出する。ステージ及び／又はプリントヘッドのいずれかが、この工程における可動部分となり得る。所望される隆起物の寸法によって、滴の体積が変化する。滴の体積は、０．００１ｍｍ３から０．０１５ｍｍ３（例えば、約０．００２ｍｍ３、約０．００３ｍｍ３、約０．００４ｍｍ３、約０．００５ｍｍ３、約０．００６ｍｍ３、約０．００８ｍｍ３、約０．０１０ｍｍ３、約０．０１２ｍｍ３、）の範囲の場合がある。レンズ表面に接触する際に、滴が表面を濡らして、硬化していない隆起物３０５を形成する。あるいは、いくつかの実施形態では、ステージ３６０が固定されており、一方でアクチュエータがプリントヘッドをレンズに対して動かす。
【００５５】
システム３００はＵＶランプ３７０も含む。ステージ３６０はレンズをランプ３７０に隣り合う位置に置き、ランプが堆積された材料を硬化させて最終的な隆起物を形成できるようにする。適切なＵＶランプの例は、３６０〜３９０ｎｍの範囲の波長を放射するＬＥＤを含む。
【００５６】
制御装置３３０は貯蔵器３４０、プリントヘッド３５０、ステージ３６０、及びＵＶランプ３７０と通信し、各々の作動を調整して滴の印刷と硬化を促進する。具体的には、制御装置３３０はプリントヘッド３５０とステージ３６０との間の相対的な動作、インクジェットの滴の噴出頻度、及び滴の体積を制御し、システム３００が所望のドットパターンをレンズ３０１に形成できるようにする。制御装置３３０はまた、硬化されていない材料の粘度を制御するために、硬化されていない材料の温度を制御する（例えば、貯蔵器３４０若しくは他の箇所に関連する加熱器によって）。使用者は、コンピュータ３１０を通して滴のパターンを入力し、プリンタに関する対応する制御信号を発生させ、信号を制御装置３３０に伝達する。
【００５７】
市販のインクジェットプリンタが使用されることがある。適切なインクジェットプリンタは、カリフォルニア州アーバインのローランド  ＤＧＡ社（Ｒｏｌａｎｄ  ＤＧＡ）、及びジョージア州スワニーのミマキ社（Ｍｉｍａｋｉ）ブランドの、ＵＶ  ＬＥＤ基板直接プリンタを含む。
【００５８】
ドットパターンをインクジェットすることは、アイケアの専門家が、安価でかつ効率的な方法で患者のためにドットパターンを個人向けに変更することを可能にする。図３Ｂを参照すると、個人向けに変更された眼鏡は、全てアイケア専門家のオフィスで行われ得る順序３８０によって提供される。第一段階３８１において、アイケア専門家は、例えば被写体を屈折させることによって、患者の処方を決定する。この段階はドットパターンが形成される眼用レンズの度を決定する。患者はまた、標準の度付き眼鏡に対してするのと同じように、自分の眼鏡のフレームを選択する。
【００５９】
次の段階３８２では、アイケア専門家は患者に適切なドットパターンを選定する。変化し得るドットパターンに関するパラメータは、例えば、ドットの大きさ、ドットの密集度、透明間隙の大きさと形状、及びレンズにある透明間隙の位置を含む。これらの各々は、所望される周辺視野におけるコントラスト低減量と透明間隙の角度範囲とによって個別化され得る。例示のドットパターンが図３Ｃに示される。このパターンは、ほとんどのレンズブランクより大きな範囲にわたってドットを印刷し、レンズ表面がドットパターンによって完全に覆われることを確実にする。画像を生成するのに適切な市販のソフトウェア（例えば、Ｖｉｓｉｏ、ＰｏｗｅｒＰｏｉｎｔ、又はＷｏｒｄなどの、Ｍｉｃｒｏｓｏｆｔ  Ｏｆｆｉｃｅ製品）が、標準のインクジェットドライバソフトウェアと併用して使用されて、インクジェットプリンタに対する制御信号を発生させることがある。あるいは、パターンに関して選択されたパラメータをインクジェットプリンタのコンピュータに入力するために、アイケア専門家によって特別なソフトウェアが使用されることがある。
【００６０】
次に、段階３８３において、インクジェットプリンタが、コンピュータからの信号に従って、硬化していない材料の滴を堆積して所望のパターンのドットを形成する。そして段階３８４において、プリントされるパターンが硬化放射にさらされる。いくつかの実施形態では、透明な中心などのドットパターンの中心は、レンズの光心と一直線上になる。これは、例えば、レンズ測定計を使用して光心を測定及びマーキングすること、そしてプリントパターンをマークされた光心と一直線上にすることによって行われ得る。ある実装においては、光心が円形レンズの幾何学的中心と一直線になるように、レンズの光心がまずマークされ、円形に縁取られる。そして、ドットパターンが円形レンズの中心に来るように、滴がレンズにプリントされ、ここで光心と一致する。代替的に若しくは付加的に、光心が常にレンズの幾何学的中心に一致するように、レンズブランクが製作若しくは選択され得る。
【００６１】
最後に段階３８５で、レンズが縁取られてフレームに取り付けられる。
【００６２】
いくつかの実装においては、レンズはフレームに取り付けられ、ドットが硬化する前にフレームが着用者に装着される。この方法では、必要ならばプリントされたドットパターンがレンズから落とされ、再びプリントされることが可能である。
【００６３】
図３Ｄを参照すると、いくつかの実装では、レンズを製造する間に複数のレンズブランクを支持するために、冶具３９０が使用される。冶具３９０は、各々がレンズを確実に保持する大きさであるレンズ保持器３９２が一表面に配列されていることを特徴とする、トレイ３９１を含む。例えば、もし直径６０ｍｍのレンズブランクが使用される場合、レンズ保持器は各々、それぞれのレンズを強固に保持するように、直径が６０ｍｍである。操作の間、１つ以上のレンズを有する冶具３９０は、ステージ３６０に置かれる。システム３００がレンズ表面に正確に噴射できるように、冶具は各レンズを正確な位置に保持する。さらに、冶具はバッチごとに複数のレンズを製造できるようにする。図３Ｄの冶具は４８個のレンズ保持器を有するが、一般的には、冶具は、インクジェットシステムによって与えられる物理的制限を受ける、任意の数のレンズを保持するように設計され得る。例えば、約２４個のレンズ、約４８個のレンズ、約１００個のレンズ、約２００個のレンズ、約３００個のレンズ、約４００個のレンズ、約５００個のレンズ、又は５００以上のレンズを操業ごとに収容する冶具などの、多くのサイズの冶具があり得る。
【００６４】
図４Ａ〜図４Ｃは、図３Ｃのパターンを使用してプリントされるレンズの写真を示す。図４Ａはレンズ全体を示し、一方で図４Ｂ及び４Ｃはドットパターンの拡大部分を示し、図４Ｃの部分は透明間隙を含む。
【００６５】
隆起物を形成するための他の方法もまたあり得る。例えば、インクジェットの代わりに、転写又は平版印刷を使用できる。転写印刷は、隆起物を異なる基板に形成し、別の工程段階で、レンズの表面にそれらを転写することを含む。平版印刷は、連続した均一な隆起物材料の層をレンズ表面に形成し、ドットパターンを形成するようにその層をパターン形成することを含む。光学若しくはコンタクト方式のリソグラフィが層のパターン形成に使用できる。あるいは、隆起物は、レンズを形成するのに使用されるのと同じ成形過程を使用して、レンズ表面に成形されることがある。この場合、隆起物はレンズ型の一部である。いくつかの実施形態では、ドットパターンは、レンズの表面に積層されるフィルムによって設けられることがある。
【００６６】
上述の複数の実施形態におけるドットパターンは、眼用レンズの表面に形成される隆起物であるが、同等の光学的特性及びレンズ耐久性をもたらす他の実装も可能である。例えば、いくつかの実施形態では、コントラスト低減はレンズ表面にある凹部の配列によってもたらされる。凹部は、上述の隆起物と似た寸法を有することができる。凹部は、エッチング（例えば、物理的エッチング若しくは化学的エッチング）又はレンズ表面から材料を除去すること（例えば、レーザ光線、分子線、若しくはイオンビームを使用して）などの、様々な技術を使用して形成され得る。いくつかの実施形態では、凹部はレンズを成形する際に形成される。
【００６７】
代替的に若しくは付加的に、ドットパターンは、レンズ材料そのものに組み込まれることがある。例えば、レンズが成形されるときに、ビーズ材料とバルクレンズ材料の屈折率が異なる、適当な大きさの透過性ビーズがレンズ材料に散布される。透明間隙はバルクレンズ材料のみで形成される。
【００６８】
いくつかの実施形態では、コントラスト低減は、粗面などの他の拡散構造によってもたらされる。ホログラフィック拡散体又はすりガラス拡散体が使用され得る。いくつかの実施形態では、拡散体はレンズの表面に積層されるフィルムによって供給され得る。
【００６９】
前述の記載は、眼鏡の眼用レンズに関連するものであるが、開示される原理はコンタクトレンズなどの、他の形態の眼用レンズに適合され得る。いくつかの実施形態では、ドットパターンがコンタクトレンズに形成され、類似の治療効果をもたらす。コンタクトレンズのドットパターンの大きさ及び間隔は、眼鏡レンズに関して上述されるドットパターンに匹敵する、使用者の視野における立体角をなす大きさである。
【００７０】
ドットパターンは、様々な方法でコンタクトレンズに形成され得る。例えば、ドットパターンは、上述の技術を使用して、コンタクトレンズ表面にプリント又は転写され得る。あるいは、ドットパターンは、散乱材料をコンタクトレンズに散布することによって形成され得る。
【００７１】
いくつかの実施形態では、ドットは、コンタクトレンズ表面をレーザ光線に露光することによって、コンタクトレンズの片面又は両面に形成される。レーザ光線は、表面のコンタクトレンズ材料を局所的に除去し、小さなくぼみを残す。コンタクトレンズ表面をレーザ光線に選択的に露光することによって、ドットパターンが表面に形成され得る。例えば、レーザの光線は、光線がパルス状である間に、表面に対して動かされ得る。光線とコンタクトレンズ表面との間の相対運動は、表面が固定されたまま光線を動かすこと、光線が固定されたまま表面を動かすこと、又は光線と表面の両方を動かすことによって生じる。
【００７２】
図１３を参照すると、レンズ表面にドットを形成するためのレーザシステム１３００は、レーザ１３２０、ビームチョッパ１３３０、集束光学部品１３４０、鏡１３５０、及びステージ１３７０を含む。レーザ１３２０はレーザ光線を鏡１３５０に向けて、鏡１３５０はステージ１３７０によって鏡１３５０に対する位置を決められるコンタクトレンズ１３０１に向かって、光線を偏向する。アクチュエータ１３６０（例えば圧電アクチュエータ）が鏡１３５０に取り付けられる。ステージは、コンタクトレンズ１３０１を支持する、湾曲した取付面１３８０を含む。レーザシステム１３００は、レーザ１３２０、ビームチョッパ１３３０、及びアクチュエータ１３６０と通信する制御装置（例えばコンピュータ制御装置）も含む。
【００７３】
ビームチョッパ１３３０及び集束光学部品１３４０は、光線経路に位置する。チョッパ１３３０は光線を周期的に遮断し、コンタクトレンズ１３０１がレーザ光線の個々のパルスに露光されるようにする。１つ以上の光学的に作動される要素（例えば１つ以上のレンズ）を一般的に含む集束光学部品１３４０は、光線によって除去される範囲が所望のドットの大きさに一致するように、コンタクトレンズ１３０１の表面にある十分に小さな点に光線の焦点を合わせる。アクチュエータ１３６０は、光線に対して鏡１３５０の方向を変えて、コンタクトレンズ表面にある異なる対象点へのパルス状の光線を走査する。制御装置１３１０は、レーザシステムがコンタクトレンズに既定のドットパターンを形成するように、レーザ１３２０、チョッパ１３３０、及びアクチュエータ１３６０の操作を調整する。
【００７４】
いくつかの実施形態では、ステージ１３７０もアクチュエータを含む。ステージアクチュエータは、例えば光線伝播方向に直交する２つの横方向の寸法にコンタクトレンズを動かす、多軸アクチュエータの場合がある。代替的に若しくは付加的に、アクチュエータは光線方向に沿ってステージを動かす場合がある。ステージを光線方向に動かすことは、レンズ表面の湾曲にかかわらず、レンズ表面の露光部分を光線の焦点位置に維持し、それによってレンズ表面にわたってほぼ一定なドットの大きさを維持するのに使用される。ステージアクチュエータはまた、このステージ動作をシステムの他の要素に調和させる制御装置１３１０によって制御される。いくつかの実施形態では、ステージアクチュエータは鏡アクチュエータの代わりに使用される。
【００７５】
一般的に、レーザ１３２０は、コンタクトレンズ材料を除去するのに十分なエネルギを有する光を発生させることが可能な任意の型のレーザであり得る。ガスレーザ、化学レーザ、色素レーザ、固体レーザ、及び半導体レーザが使用され得る。いくつかの実施形態では、（９．４μｍ又は１０．６μｍの発光波長を有する）ＣＯ２レーザなどの、赤外レーザが使用され得る。例えば、アリゾナ州スコッツデールのユニバーサルレーザシステムズ社（Ｕｎｉｖｅｒｓａｌ  Ｌａｓｅｒ  Ｓｙｓｔｅｍｓ，  Ｉｎｃ．）製のＣＯ２レーザシステム（例えば、６０Ｗ  ＶＬＳ  ４．６０システム）などの市販のレーザシステムが使用され得る。
【００７６】
パルス幅及びパルスエネルギは通常、コンタクトレンズ表面からある量の材料を除去して所望の大きさのドットを形成するように選定される。コンタクトレンズに関するドットパターンの例が、図１４Ａに示される。ここで、コンタクトレンズ１４００は透明間隙１４１０、コントラスト低減領域１４２０、及び透明な外側領域１４３０を含む。コントラスト低減領域１４２０は内径ＩＤ及び外径ＯＤを有する環状領域である。ＩＤは透明間隙１４１０の直径と一致する。コンタクトレンズは、ＯＤより大きなレンズ直径ＬＤを有する。
【００７７】
一般的にＩＤは、通常の室内照明の条件下で（例えば、使用者が容易に本の文章を読むことができる、一般的な教室又はオフィスの照明など）、使用者の瞳孔の直径より小さい。このことは、このような照明条件の下で、使用者の周辺視野における像コントラストが低減されることを確実にする。いくつかの実施形態では、ＩＤは約０．５ｍｍから約２ｍｍの範囲（例えば、約０．７５ｍｍから約１．７５ｍｍの範囲、約０．９ｍｍから約１．２ｍｍの範囲、約０．６ｍｍ以上、約０．７ｍｍ以上、約０．８ｍｍ以上、約０．９ｍｍ以上、約１ｍｍ以上、約１．１ｍｍ以上、約１．２ｍｍ以上、約１．９ｍｍ以下、約１．８ｍｍ以下、約１．７ｍｍ以下、約１．６ｍｍ以下、約１．５ｍｍ以下、約１．４ｍｍ以下、約１．３ｍｍ以下）である。
【００７８】
一般的にＯＤは、コントラスト低減領域が通常の室内照明の条件下で使用者の瞳孔を超えて広がるように十分大きい。いくつかの実施形態では、ＯＤは約２．５ｍｍ以上である（例えば、約３ｍｍ以上、約４ｍｍ以上、約５ｍｍ以上、例えば、約１０ｍｍ以下、約８ｍｍ以下、約７ｍｍ以下、約６ｍｍ以下など）。
【００７９】
一般的に、コンタクトレンズにあるドットの寸法及び間隔は、所望の光学的効果（例えば上述のような）をもたらすように選定され、ドットを形成するのに使用される方法の制限を受ける。いくつかの実施形態では、ドットは約０．００５ｍｍ以上（例えば、約０．０１ｍｍ以上、約０．０１５ｍｍ以上、約０．０２ｍｍ以上、約０．０２５ｍｍ以上、約０．０３ｍｍ以上、約０．０３５ｍｍ以上、約０．０４ｍｍ以上、約０．０４５ｍｍ以上、約０．０５ｍ以上、約０．０５５ｍｍ以上、約０．０６ｍｍ以上、約０．０７ｍｍ以上、約０．０８ｍｍ以上、約０．０９ｍｍ以上、約０．１ｍｍ）から約０．５ｍｍ以下（例えば、約０．４ｍｍ以下、約０．３ｍｍ以下、約０．２ｍｍ以下、約０．１ｍｍ）の最大横寸法を有することがある。
【００８０】
ドットの間隔はまた、所望の光学的効果をもたらすように変化し得る。通常、くぼみの間隔（つまり、隣り合うくぼみの中心の間を測定される）は、約０．０５ｍｍ（例えば、約０．１ｍｍ以上、約０．１５ｍｍ以上、約０．２ｍｍ以上、約０．２５ｍｍ以上、約０．３ｍｍ以上、約０．３５ｍｍ以上、約０．４ｍｍ以上、約０．４５ｍｍ以上）から約１ｍｍ（例えば、約０．９ｍｍ以下、約０．８ｍｍ以下、約０．７ｍｍ以下、約０．６ｍｍ以下、約０．５ｍｍ以下）の範囲である。
【００８１】
コントラスト低減領域におけるドットの相対的な面積は、眼鏡レンズに関して上述したように変化し得る。
【００８２】
ＬＤはコンタクトレンズの直径と一致し、通常は約１０〜２０ｍｍの範囲である。一般的に、ＬＤはＯＤより少なくとも１ｍｍ以上大きい（例えば、約２ｍｍ以上、約３ｍｍ以上、約４ｍｍ以上、約５ｍｍ以上、約６ｍｍ以上、約７ｍｍ以上、約８ｍｍ程度）。コンタクトレンズの縁にドットを含まない少なくともいくらかの余白を含むことは、ドットがコンタクトレンズの品質をその縁で減少させないこと（例えば流涙によって）、又はコンタクトレンズと使用者の眼球との間の密閉の完全性が低減することを確実にする。
【００８３】
図１４Ａに示されるコンタクトレンズのドットパターンは、ドットが各々同じ大きさで、隣り合うドット間の間隔が同じであることを特徴とするが、他のドットの配列も可能である。例えば、図１４Ｂを参照すると、コンタクトレンズ１４５０は様々な大きさのドットを特徴とする。ここで、コンタクトレンズ１４５０は、透明間隙１４６０、コントラスト低減領域１４７０、及び透明な外側領域１４８０を含む。コントラスト低減領域１４７０は、レンズの中心に対してドット位置の半径方向距離が増加するにつれてドットの大きさが増加するドットパターンを含む。従って、透明間隙１４６０に最も近いドット１４７１が最小で、外側領域１４８０に最も近いドット１４７２が最大である。
【００８４】
システム１３００はコンタクトレンズを除去するものとして示されるが、より一般的には、レーザアブレーションは眼鏡レンズにも使用することができる。
【００８５】
近視の進行及び治効は、様々な技術（例えば、自覚的屈折検査及び／又は眼軸長の測定）を使用して被験者で観察されるが、脈絡膜厚さの変化（つまり、脈絡膜厚さの増加）が、この目的における信頼性のある生体指標であると考えられる。脈絡膜厚さは、光コヒーレンストモグラフィ（ＯＣＴ）を使用して測定できる。被験者の脈絡膜厚さを示す、例示の深部ＯＣＴ画像が、図５Ａ及び５Ｂに示される。脈絡膜は、画像を左から右に渡る、２つの黄色の曲線の間に断面で示される。ＯＣＴ画像は可変の倍率を有するので、厚さを測定するときに、一連の治療にわたって厚さが変わらない内部標識が参照として使用され得る。このような標識の例は、脈絡膜と網膜との間の網膜色素上皮（ＲＰＥ）層で、その厚さは図５Ｂに図示される赤線で示される。
【実施例】
【００８６】
初期研究／比較例
従来の調査では、レンズ表面に取り付けられた拡散フィルタを使用する概念実証眼鏡は、被験者の軸長の延長を減速できることが分かったが、多くの課題があった。使用されるフィルタは、市販のバンガーター遮蔽箔（Ｂａｎｇｅｒｔｅｒ  Ｏｃｃｌｕｓｉｏｎ  Ｆｏｉｌ）（“ＢＯＦ”）であった。レンズ形状と一致するように切り取られ、右側レンズに付着される、薄い可撓性の静的ビニルフィルムで作られる拡散体があった。使用される“フォイル”は、“ＢＯＦ−０．８  視力２０／２５”で、その名が示唆するように、名目上は最も良く矯正された視力を２０／２５に低減させた。しかしながら、実際は、２０／１５〜２０／２０の範囲で最も良く矯正できた被験者の視力は、ＢＯＦ−０．８フィルタがあると、２０／３０〜２０／４０の範囲の結果が出た。本研究の被験者が、１つの眼で片側のみに拡散体を着用したのは、それがもたらす視力の大きな低下によるもので、両眼で視力を２０／３０〜４０に低下させる眼鏡を着用することに対する耐性及び安全性に関する懸念があったためである。拡散体群を単眼にすることで、本研究の被験者は１つの眼を高視力で使用することができたので、通常通り機能することができた。しかし理想的には、市販の製品においては、治療は両方の眼に同時に行われるべきである。
【００８７】
初期研究における他の問題は、ビニルフィルタがレンズから誤って外れる場合があったことである。この問題に対処するために、試験において、各被験者は、２組の眼鏡を供給され、もし第一組からフィルタが取れた場合に第二組を使用するように指示された。そして、被験者に新しい予備の組を供給することが可能であった。理想としては、市販の製品においては、拡散体は標準のレンズとして耐久性があるべきである。
【００８８】
新研究
初期研究で使用される眼鏡における問題に対処し、同時に軸長の延長を減速するための有効性を維持又は向上させるように、試作レンズが設計された。ＢＯＦ−０．８フィルタが視力をそれほど大幅に低下させた主な理由は、ビニルフィルムそのものの光学的品質が非常に低いためであると考えられる。厚さの不均一さが、画像をゆがめて視覚を困難にする“波打った”パターンを作り出した。しかし、この画像の劣化はいかなる治療価値も有さないと考えられた。ゆえに、新研究の試作レンズにおける１つの目標は、眼鏡に付着されるいかなる種類のフィルムも除外し、拡散体をレンズそのものの永久的な部分として備えることであった。新しい設計では、これらのレンズの拡散体構成要素は、画像のコントラストを下げる目的を果たすが、光学的品質の全ての他の側面は標準治療と本質的に同じである。
【００８９】
眼鏡の開発の第一段階は、ＢＯＦ−０．８フィルタの拡散量（及び、おそらく治療価値）を再現するが、標準（つまり、拡散しない）レンズの他の光学的特性を全て有するレンズを製造することであった。新しい試作品の有効性は、有効性に関する基準として使用された初期研究のＢＯＦ−０．８フィルタと比較された。新しい試作品の研究の長さを低減するために、光コヒーレンス・トモグラフィ（ＯＣＴ）を使用して測定される脈絡膜厚さが、治効の生体指標として使用された。脈絡膜はＯＣＴを使用して画像化され、ＢＯＦ−０．８フィルタが正確に測定された脈絡膜の厚さを生成することを実証した。本研究で得られる画像が、図６Ａ〜図６Ｄに示される。ＯＣＴは非侵襲的に中心窩を通る網膜の断面図をもたらす。内境界膜神経線維層（ＮＦＬ）、神経節細胞層（ＧＣＬ）、内網状層（ＩＰＬ）、内顆粒層（ＩＮＬ）、視細胞内節外節接合部（ＩＳ／ＯＳ  ＰＲ）、外顆粒層（ＯＮＬ）、網膜色素上皮（ＲＰＥ）を含む複数の層が分解され得る。最深層は脈絡膜である。図６Ａ及び図６Ｃは、ＢＯＦ−０．８フィルタを用いた治療の前と後の、一被験者の網膜の分割されていない画像を示す。脈絡膜層の相対的な厚さは、治療前と比べて治療後に明白である。図６Ｂ及び図６Ｄは脈絡膜の外側境界線を示す、分割線（赤色）を含む。図６Ｃは治療後３９日目の脈絡膜を示す。図６Ｄは、画定された脈絡膜の外側境界線と共に、治療後３９日目の脈絡膜を示す。厚さは、境界線からＲＰＥ境界までの距離として測定された。
【００９０】
図７は、本研究に関する網膜における位置の関数として、相対的な脈絡膜厚さのプロットを示す。マークされた治療後の脈絡膜の厚さ（上側、青い曲線）は、治療前の測定（下側、黒い曲線）と比べて、網膜にわたって明白である。
【００９１】
例：試作品Ｉ
第一試作眼鏡である試作品Ｉは、拡散要素を組み込み、像のコントラストをＢＯＦ−０．８フィルタと実質的に同じ量下げて、一方で実用性と耐久性を有し、ＢＯＦ−０．８フィルタのビニル基板に見られる多くの光学的欠点がないレンズを供給するように開発された。レンズは、ＵＶ硬化性材料を使用して、レンズにドットパターンをインクジェットプリントすることで形成された。ローランド  ＤＧ社のインクジェットプリンタのＶｅｒｓａＵＶライン、及びミマキ社のＵＶフラットベッドプリンタのプリンタの両方が、異なる型の試作品Ｉで使用された。ＵＶ硬化性材料がまた、ローランド社及びミマキ社から調達された。
【００９２】
レンズは、透明なポリカーボネートの飛散防止レンズで、分光フィルタリングをしない。ドットパターンは０．５５ｍｍの間隔を有する正方形グリッド上にプリントされた。ドットの体積は０．００４ｍｍ３であった。ドットパターンはレンズ全体を覆い、透明間隙を残さなかった。プリントされたパターンは、３６５ｎｍ〜３８５ｎｍの範囲で放射する、ＵＶ  ＬＥＤを使用して硬化された。試作品Ｉレンズの例の写真が、図８に示される。
【００９３】
我々は、被験者内実施要綱を使用して、試作品Ｉレンズを試験した。少数の被験者が採用され、彼らの最良矯正視力に屈折された。軸長の初期減少は、脈絡膜の肥厚の結果であるという仮説が、ＯＣＴ研究で試験された。これに関し、
【００９４】
基準値測定の一週間後、被験者は処理されていない左眼（ＯＳ）レンズと、右眼（ＯＤ）レンズに取り付けられるＢＯＦ−０．８フィルタとを備えた眼鏡を着用した。そして４週間後に、被験者は左眼（ＯＳ）を新しい試作品レンズに替え、右眼は処理されていないレンズを着用した。左眼と右眼の脈絡膜の厚さの絶対的な差異（ＯＤ−ＯＳ）が、ＢＯＦ−０．８フィルタを右眼に１か月着用した後に著しく増加した。ＯＤ眼鏡が取り外され、ＯＳ眼が試作品Ｉで治療されたとき、ＯＳの軸長における対応する大幅な減少（ｐ＝０．００８３）と、ＯＤ−ＯＳ値の上昇（ｐ＝０．００３２）があった。脈絡膜の厚さの増加をもたらすことに関して、試作品ＩとＢＯＦ−０．８フィルタとの間に有効性の大きな違いはなかった。しかし、ＢＯＦ−０．８フィルタに比べて、我々の試作品Ｉを着用したときに、最良矯正視力における大幅な差異があった。
【００９５】
例２：試作品ＩＩ
試作品ＩＩの目標は、２０／１５〜２０／２０の測定最良矯正視力を許容するが、ＢＯＦ−０．８フィルタと同等若しくはそれより良い有効性を示すレンズを製造することであった。この目標を達成するために、試作品ＩＩは、試作品Ｉのドットパターンを小さな中心透明領域を組み込むように変更することで、製造された。ドットは０．５５ｍｍの間隔を有する正方形グリッドパターン上に形成された。透明間隙は、直径３．８ｍｍの円形で形成された。試作品ＩＩレンズの写真が図９に示される。
【００９６】
眼鏡が装着されたとき、着用者がまっすぐ前を見ているときに透明領域を通して見るようにするため、透明領域が瞳孔と一致するように位置決めされた。２０／１５〜２０／２０に最良矯正された被験者は、試作品ＩＩを着用して透明領域から視力検査表を読んだときに、２０／１５〜２０／２０という結果になった。
【００９７】
我々は、少数の被験者を採用し、透明領域を備えたレンズを左眼に、備えていないレンズを右眼に着用してもらうことで、試作品Ｉと対照して、透明領域を備えた試作品ＩＩを試験した。我々は、２つの眼の間の脈絡膜の厚さの増加を比較し、透明領域を備えたレンズと備えていないレンズとの間で差異がないことがわかった。これは、被験者が２０／１５〜２０／２０の最良矯正視力で試験し、初期研究で使用される元のレンズの有効性（脈絡膜の厚さの増加によって測定される）を維持できるようにした、分光フィルタリングがない拡散体レンズを設計することが可能であることを実証した。
【００９８】
例３：試作品ＩＩＩ
忍容性と有効性を同時に最大化するために、さらなる改良が調査された。我々は、透明領域が大きいほど、試作品はより忍容性を示すと考えたが、周辺コントラスト低減を増大させると有効性も増加し得ると仮定した。ゆえに、我々は、これらの２つの値を試みて、もう１つの試作品：試作品ＩＩＩを製造した。試作品Ｉ及びＩＩのように、試作品ＩＩＩは分光フィルタリングを有しなかった。試作品ＩＩＩのドットパターンは、より大きな透明間隙と、透明領域の外側の試作品ＩＩより大きなコントラスト低減を含むように変更された。具体的には、透明間隙は直径５．０ｍｍに拡大され、正方形グリッド間隔は０．３６５ｍｍに減少された。ドットの大きさは試作品ＩＩと同じままであった。試作品ＩＩＩレンズの写真は、図１０で示される。
【００９９】
設計目標は、子供たちとその親が満足し快適な、良い視力を可能にする試作品を開発することであった。２０／１５〜２０／２０の最良矯正視力を有する子供たちのための試作品ＩＩＩを使った視力は、レンズの透明間隙を通して見ながら視力を検査した際に、２０／１５〜２０／２０であった。我々はまた、被験者が周辺拡散体を通して見ながら、“軸外”視力を検査した。透明間隙を通して、２０／１５〜２０／２０の最良矯正視力を有する被験者は、拡散領域を通して見るときに２０／２０〜２０／２５の視力を示した。
【０１００】
我々は、両眼に着用された試作品ＩＩＩを用いて小さな試験を開始した。レンズの主な目的は、レンズの耐久性及び忍容性を分析することであった。試験は１つの群を有した。被験者は７から１０歳で近視進行の病歴があった。被験者は、親が自分たちの子供の急速な近視進行を懸念しているために、全員が眼科医によって我々に紹介された。研究は単一施設で、シアトルのワシントン大学での眼科研究であった。８人の子供が参加した。カールツァイスメディテック社（Ｃａｒｌ  Ｚｅｉｓｓ  Ｍｅｄｉｔｅｃ）のＩＯＬマスターの光学的生体計測器で軸長を観察しながら、眼鏡を着用して６か月経過した４人の子供に関する予備結果が、得られた。子供たちはまた、一日に何時間レンズを着用したかを記録し、眼鏡に関する問題若しくは懸念を書き留める日記をつけるように依頼された。
【０１０１】
被験者が軸長測定のために研究室に来た時に、我々は彼らの日記を見て眼鏡に変化若しくは劣化の兆候があるか検査した。我々はまた、被験者とその親に、眼鏡に関する問題又は懸念があったか尋ねた。眼鏡の耐久性に顕著な問題はなく、被験者と親からの苦情はなかった。
【０１０２】
しかしながら、図１２を参照すると、試作品ＩＩＩを着用した被験者の軸長と、初期研究の６か月での結果とを比較すると興味深い。この図は、１８０日後の被験者の眼に関するジオプトリの変化を比較する棒グラフである。第一の棒は、制御眼鏡を表し、第二の棒は初期研究の元の拡散体眼鏡を表す。第三の棒は、６か月の研究を完了した４人の子供たちに関する６か月後の試作品ＩＩＩを表す。
【０１０３】
我々は、２０／１５〜２０／２０の視力を可能にする、安定した耐久性のある眼鏡を製作できるということを実証した。この被験者の小規模なグループは、眼鏡に非常に満足し、６か月後に進行速度が遅くなったことを示す。
【０１０４】
例４：コンタクトレンズ
ドットパターンは次のようにコンタクトレンズに形成された。各場合において、−７．５Ｄコンタクトレンズが、ＶＬＳ４．６０ＣＯ２レーザシステム（アリゾナ州スコッツデールのユニバーサルレーザシステム社）のステージにある転がり軸受に置かれた。各場合のレンズ直径は１４ｍｍであった。
【０１０５】
コンタクトレンズはそれぞれ、５％出力、１０％出力、及び２０％出力設定で露光された。各露光において、レーザスキャン速度は、２５％に設定され、解像度は０．００２インチに設定された。露光範囲は１２．７ｍｍの外径と、１ｍｍの内径とを有する。範囲内の露光パターンは、０．０１１６インチのグリッド間隔を有する正方形グリッドであった。
【０１０６】
可視ドットパターンが、５％及び１０％の出力設定に対して形成された。２０％の出力設定は、コンタクトレンズを切断する結果となった。
【０１０７】
コンタクトレンズの１つの写真は、図１５Ａに示されている。ドットパターンが明らかに目に見える。
【０１０８】
例５：レーザ除去を使用した眼鏡レンズ
ドットパターンは、６０Ｗ、１０．６μｍのＶＬＳ４．６０ＣＯ２レーザシステム（アリゾナ州スコッツデールのユニバーサルレーザシステム社）を使用して、いくつかのＴｒｉｖｅｘ眼鏡レンズに形成された。レンズは５％と４０％の間の様々な出力に、ラスター及びベクタープリントモードの両方で露光された。レーザは１０００ＰＰＩに設定された。速度設定は、２５％又は１００％であった。
【０１０９】
ベクターモードに露光されたレンズの写真が、図１５Ｂに示される。ベクターモードでプリントされた、この例におけるドットパターンは、明らかに目に見える。
【０１１０】
多くの実施形態が記載されている。他の実施形態は、後述の特許請求の範囲にある。
【図１Ａ】
2019529968.tif 000003
【図１Ｂ】
2019529968.tif 000004
【図２】
2019529968.tif 000005
【図３Ａ】
2019529968.tif 000006
【図３Ｂ】
2019529968.tif 000007
【図３Ｃ】
2019529968.tif 000008
【図３Ｄ】
2019529968.tif 000009
【図４】
2019529968.tif 000010
【図５】
2019529968.tif 000011
【図６Ａ】
2019529968.tif 000012
【図６Ｂ】
2019529968.tif 000013
【図６Ｃ】
2019529968.tif 000014
【図６Ｄ】
2019529968.tif 000015
【図７】
2019529968.tif 000016
【図８】
2019529968.tif 000017
【図９】
2019529968.tif 000018
【図１０】
2019529968.tif 000019
【図１１】
2019529968.tif 000020
【図１２】
2019529968.tif 000021
【図１３】
2019529968.tif 000022
【図１４Ａ】
2019529968.tif 000023
【図１４Ｂ】
2019529968.tif 000024
【図１５Ａ】
2019529968.tif 000025
【図１５Ｂ】
2019529968.tif 000026
【国際調査報告】
2019529968.tif 000027
2019529968.tif 000028
2019529968.tif 000029
2019529968.tif 000030
2019529968.tif 000031